(57)【要約】      （修正有）【課題】十分な抗菌・抗カビ効果を有し、清潔で快適、安全な住環境を確保できる抗菌・抗カビ空気発生装置を提供する。【解決手段】ケースとポンプがホースを介して連結し、ケースの少なくとも２面に開口を設け、開口にはセラミックプレートを設け、ケース内にはセラミックボールを収納し、セラミックプレート及びセラミックボールは、スパッタリング等の抗菌・抗カビ処理が施され、ポンプからの空気を、ホースを通してケース内に送り込み、送り込まれた空気がセラミックボール及びセラミックプレートを通して外部に排出される。【選択図】図１
0003160442.tif 000002
【実用新案登録請求の範囲】
【請求項１】
ケースとポンプがホースを介して連結する空気発生装置であって、
前記ケースの少なくとも２面に開口を設け、この開口には多孔性セラミックプレートを設け、
前記ケース内には多孔性セラミックボールを収納し、
前記セラミックプレート及び前記セラミックボールは、抗菌・抗カビ処理が施された構成であって、
前記ポンプからの空気を、前記ホースを通して前記ケース内に送り込み、この送り込まれた空気が前記セラミックボール及び前記セラミックプレートを通して外部に排出される抗菌・抗カビ空気発生装置。
【請求項２】
前記セラミックプレート及び前記セラミックボールの抗菌・抗カビ処理を、金属のスパッタリング、金属の蒸着、金属のデッピングのうちいずれかで行うこと特徴とする請求項１に記載の抗菌・抗カビ空気発生装置。
【請求項３】
前記金属を、金、銀、銅、亜鉛、チタン、ニッケル、パラジウム、白金の単体又は混合体とすることを特徴とする請求項２に記載の抗菌・抗カビ空気発生装置。
【考案の詳細な説明】
【技術分野】
【０００１】
本考案は、抗菌・抗カビ空気発生装置に関する。
【背景技術】
【０００２】
従来、室内の空気を改善する目的で使用される空気発生装置としては、様々な種類のものが存在するが、例えば、以下説明する特許文献１、特許文献２等が提案されている。
【０００３】
特許文献１は、空気中の埃、粉塵、微粒子等の不純物を吸着するための吸着材を収容したフィルターと、フィルター内へ空気を送り込むためのエアーマスクと、エアーマスクによる空気の吸引を作動させるためのエアーポンプという簡易な構成で、空気中の不純物、たとえば埃、花粉等の粉塵、菌類等室内で発生する不純物、或いはキシレン、トルエン、パラジクロロベンゼン、ホルムアルデヒド等、いわゆるシックハウス症候群の要因となるような溶剤類、或いはＮＯＸ  、ＳＯＸ  等の有害成分やＣＯ２  等の環境汚染の要因となるような不純物等、各種の不純物を除去することができる空気浄化装置である。
【０００４】
次に、特許文献２は、導電性材料で形成され、液体の流路となる貫通穴を有した中空で細いノズルの液体出口側の先端断面が、水の吐出方向に対して直角となることを特徴とし、水を溜める容器と、容器内の水をノズルに搬送する搬送手段と、ノズル近傍に配置された少なくともひとつのリング状電極と、ノズルとリング状電極に電位差を与える電圧印加部とを備え、ノズルとリング状電極に電位差を与え、ノズル先端から微細水滴を噴霧し、リング状電極の外周に脱臭剤を担持したハニカム状に形成されたセラミックフィルタ材を配置することを特徴とする空気浄化装置である。
【０００５】
【特許文献１】特開２００６−３０５４１６
【特許文献２】特開２００６−３０５３２１
【考案の開示】
【考案が解決しようとする課題】
【０００６】
しかし、特許文献１は、空気中の不純物を吸着するための吸着材を収容したフィルターと、フィルター内へ空気を吸引するためのエアーマスクと、エアーマスクによる空気の吸引を作動させるためのエアーポンプという簡易な構成であるが故に、その効果が必ずしも十分でない場合がある。
【０００７】
また特許文献２は、フィルタ材をハニカム状に形成されたセラミックとすることによって、空気との接触面積が大きく脱臭能力に優れる等の作用を有するが、本考案のように、セラミックにスパッタリング等によって抗菌・抗カビ加工を施していないため、本考案のような十分な効果を奏さない場合がある。
【課題を解決するための手段】
【０００８】
請求項１の考案は、ケースとポンプがホースを介して連結する空気発生装置であって、
前記ケースの少なくとも２面に開口を設け、この開口には多孔性セラミックプレートを設け、
前記ケース内には多孔性セラミックボールを収納し、
前記セラミックプレート及び前記セラミックボールは、抗菌・抗カビ処理が施された構成であって、
前記ポンプからの空気を、前記ホースを通して前記ケース内に送り込み、この送り込まれた空気が前記セラミックボール及び前記セラミックプレートを通して外部に排出される抗菌・抗カビ空気発生装置を提供する。
【０００９】
請求項１の考案は、抗菌・抗カビ効果を有するセラミックボール及びセラミックボードから発生する抗菌・抗カビ空気が室内空気中に浮遊する細菌やカビに作用し、菌類の増殖を抑制する。したがって、室内空気中において抗菌・抗カビ効果が果たされた清潔で快適、安全な環境が確保される。
【００１０】
請求項２の考案は、前記セラミックプレート及び前記セラミックボールの抗菌・抗カビ処理を、金属のスパッタリング、金属の蒸着、金属のデッピングのうちいずれかで行うこと特徴とする請求項１に記載の抗菌・抗カビ空気発生装置を提供する。
【００１１】
請求項２の考案は、セラミックプレート及びセラミックボールの抗菌・抗カビ処理を、金属のスパッタリング等で行うことによって、請求項１の目的を十分に奏することが期待できる。
【００１２】
請求項３の考案は、前記金属を、金、銀、銅、亜鉛、チタン、ニッケル、パラジウム、白金の単体又は混合体とすることを特徴とする請求項２に記載の抗菌・抗カビ空気発生装置を提供する。
【００１３】
請求項３の考案は、抗菌・抗カビ処理に使用する金属を、金、銀、銅等の単体又は混合体とすることによって、さらなる抗菌・抗カビ効果が期待できる。
【考案の効果】
【００１４】
請求項１の考案は、抗菌・抗カビ効果を有するセラミックボール及びセラミックボードから発生する抗菌・抗カビ空気が室内空気中に浮遊する細菌やカビに作用し、菌類の増殖を抑制する。したがって、室内空気中において抗菌・抗カビ効果が果たされた清潔で快適、安全な環境が確保される。
【００１５】
請求項１の考案は、ケースとポンプがホースを介して連結する空気発生装置であって、
ケースの少なくとも２面に開口を設け、開口には多孔性セラミックプレートを設け、
ケース内には多孔性セラミックボールを収納し、
セラミックプレート及びセラミックボールは、抗菌・抗カビ処理が施された構成であって、
ポンプからの空気を、ホースを通してケース内に送り込み、送り込まれた空気がセラミックボール及びセラミックプレートを通して外部に排出される抗菌・抗カビ空気発生装置を提供する。
【００１６】
請求項２の考案は、セラミックプレート及びセラミックボールの抗菌・抗カビ処理を、金属のスパッタリング等で行うことによって、請求項１の目的を十分に奏することが期待できる。
【００１７】
請求項２の考案は、セラミックプレート及びセラミックボールの抗菌・抗カビ処理を、金属のスパッタリング、金属の蒸着、金属のデッピングのうちいずれかで行うこと特徴とする請求項１に記載の抗菌・抗カビ空気発生装置を提供する。
【００１８】
請求項３の考案は、抗菌・抗カビ処理に使用する金属を、金、銀、銅等の単体又は混合体とすることによって、さらなる抗菌・抗カビ効果が期待できる。
【００１９】
請求項３の考案は、金属を、金、銀、銅、亜鉛、チタン、ニッケル、パラジウム、白金の単体又は混合体とすることを特徴とする請求項２に記載の抗菌・抗カビ空気発生装置を提供する。
【図面の簡単な説明】
【００２０】
【図１】本考案の一実施例の模式図である。
【図２】本考案の本体のケースを示した側面図である。
【図３】本考案の本体内にセラミックボールを収納した状態を図示した内部構造を表わす側面図である。
【図４】本考案の構成物品であるセラミックプレートの斜視図である。
【図５】本考案の他の実施例を壁に掛けた状態を図示した模式図である。
【図６】本考案の他の実施例を風呂場に設置した状態の一部欠截の俯瞰図である。
【図７】本考案の他の実施例を鮮魚類の陳列ケースに設置した状態を図示した斜視図である。
【考案を実施するための最良の形態】
【００２１】
以下、本考案の好ましい一例を以下説明する。
【００２２】
本考案の構成物品を大別すると、ケース１、セラミックプレート４、セラミックボール５、ホース６、ポンプ７等とからなる。
【００２３】
ケース１の素材としては、主に耐水性、耐腐食性、耐候性が高いとされる樹脂を使用するが、その他の素材としては、例えば金属、木、セラミック等でもよい。また、ケース１の形状は、図１等で図示したような長方形の他、図示しない正方形、丸形、楕円形、円筒形が考えられる。
【００２４】
ケース１の面は、ケース１を床や机等に設置する面である底面１ｃ、底面１ｃの反対側の上面１ｄ、送込口３が設けられている正面１ａ、正面１ａの反対側である背面１ｂ、セラミックプレート４を設ける開口２を有する左側面１ｅ及び右側面１ｆである。なお、開口２を有する面は、これらのうち少なくとも２面であり、本実施例では左側面１ｅ及び右側面１ｆとしたが、左側面１ｅ及び右側面１ｆに限らず、例えば、背面１ｂ及び左側面１ｅ等に設けることも可能である。
【００２５】
ケース１の左側面１ｅ及び右側面１ｆの全周には、係止段部２ａが設けられている。この係止段部２ａにセラミックプレート４が係止され、開口２にセラミックプレート４が設けられる。このように、セラミックプレート４が開口２に設けられるため、セラミックプレート４と開口２は同じ形状である必要がある。具体的には、開口２の形状が長方形であれば、セラミックプレート４の形状も長方形である必要があり、また、開口２の形状が正方形であれば、セラミックプレート４の形状も正方形である必要がある。
【００２６】
底面１ｃを面一の構成とする他、底面１ｃに図示しない突起を設けることによって床や机等の設置面から間隔をあけることができる。この場合、例えば、底面１ｃにも開口２を設けセラミックプレート４を設ける構成とすると、左側面１ｅ、右側面１ｆ、底面１ｃの３面から抗菌・抗カビ空気２０が発生し、さらなる顕著な効果を奏することが可能である。さらに、背面１ｂにも開口２を設け、この開口２にセラミックプレート４を嵌合する構成とすると、さらなる顕著な効果を奏することが可能である。
【００２７】
正面１ａには、送込口３が設けられており、また、ケース１の内部は、収納部２ｂとなっており、この収納部２ｂにセラミックボール５を収納する。
【００２８】
正面１ａの送込口３と収納部２ｂは連通しているため、送込口３から収納部２ｂへ空気が入る。したがって、ケース１の送込口３と後述するポンプ７の吐出口７ａがホース６によって連結され、ポンプ７の吐出口７ａから吐出される空気がケース１の正面１ａに設けた送込口３から吸込まれケース１の収納部２ｂへ到達する。
【００２９】
開口２に設けるセラミックプレート４は、空気を通過させるため、セラミック粒子からなる多孔性のセラミックとし、さらに、抗菌・抗カビ処理を施す。このように、セラミックプレート４を多孔性のセラミックとすることにより、目詰まりを少なくすることができる。また、抗菌・抗カビ処理としては、抗菌性のある金属のスパッタリング、金属の蒸着、金属のデッピング等、金属を液体化、気体化して処理する方法で付着させる。この金属としては、例えば、金、銀、銅、亜鉛、パラジウムまたはこれらの金属と他の金属との合金、たとえば銀とチタンの合金、ニッケルと銅の合金等である。またその他の例として、酸化チタン、酸化亜鉛、酸化銀等の金属酸化物をスパッタリング等しても良い。
【００３０】
そして、空気がセラミックプレート４に接触することや、空気がセラミックプレート４の孔を通過することによって抗菌・抗カビ空気が発生する。
【００３１】
なお、抗菌・抗カビ作用を持つ物質であれば他の物質であってもよい。例えば、無機系材料や有機系材料、光触媒等が挙げられる。
【００３２】
また、図２では、ケース１の２面にセラミックプレート４を設ける構成であるが、ケース１の１面にセラミックプレート４を設ける構成であってもよい。
【００３３】
ケース１内にはセラミックボール５を収納するが、このセラミックボール５も、セラミックプレート４と同様に多孔性のセラミックとし、さらに、抗菌・抗カビ処理をスパッタリング等で施す点や、スパッタリング等する抗菌性のある金属に関してもセラミックプレート４の場合と同様である。なお、セラミックボール５の形状は特に限定されないため、図３で図示した丸形の他、正方形や長方形等の様々な形状のものが挙げられる。さらにまた、セラミックボール５には、芳香剤及び／又は消臭剤の成分を吸着処理等することによって、悪臭を消臭することができる。
【００３４】
ポンプ７に関しては、空気を送り出すものであればどのような構成のものでもよい。上述したように、ポンプ７には、空気をケース１へ送る吐出口７ａを有している。また、本考案は、ポンプ７のコード７ｂの一端にあるプラグ７ｃをコンセントに差し込んで、コンセントからの電力でポンプ７が作動する構成であるが、コンセントからの電力を使用しない、例えば、図示しない乾電池等でポンプ７が作動する構成であってもよい。
【００３５】
ホース６に関しても、ポンプ７からケース１へ空気を送り込むことができればどのような構成のものでもよい。
【００３６】
本考案の動作を説明すると、まず、ポンプ７を作動させ、そしてポンプ７から吐出された空気が吐出口７ａ、ホース６、ケース１の送込口３を通ってケース１内に送り込まれ、この送り込まれた空気がセラミックボール４及びセラミックプレート５を通過して抗菌・抗カビ空気２０がケース１から外部に排出される。
【００３７】
図５で図示したように、ケース１を部屋の大きさに合わせたものとし、このケース１を固定具１０等を利用して壁８に固定することもできる。上述のように、本考案から発生する抗菌・抗カビ空気２０は、室内空気に浮遊する細菌やカビに作用し、菌類の増殖を抑制する。したがって、本考案の抗菌・抗カビ空気発生装置を使用することにより健康で衛生的な空気環境を簡便に実現でき、居住者の健康と快適性の確保や居住性の向上を図ることができるため、快適な住環境を得ることができる。また、悪臭と、臭気の拡散防止に役立つこと等、生活環境の維持と、向上に有益である。
【００３８】
また、図６で図示したように、浴室においては図示しない浴室の壁面と浴槽９の間にケース１を入れることによって浴室内のカビや雑菌の発生や増殖を抑制することが可能となる。また、浴槽９へのカビや雑菌の発生や増殖を抑制することも可能である。これによって、快適な浴室環境を得ることができる。さらに、図示しないが、例えば、ケース１を浴槽９内に張られた水中に入れることによって、浴槽水の浄化、水中の抗菌・抗カビ対策に有効である。また、入浴時の快感と、臭気防止及び抑制に有益であり、特に公衆浴場、旅館等の大衆浴場での抗菌と殺菌に有益である。
【００３９】
以上のように、本考案は、例えば、図７のようにスーパー等の鮮魚類１２を陳列する陳列ケース１１に使用する例では、鮮魚、刺身、切身の抗菌、又は殺菌と、鮮度維持が図れること、或いは魚が発する臭みの抑制と、他の陳列ケース（図示せず）への臭気の拡散防止等に役立つ特徴がある。その他、エアーダクトの近辺、クリーンルーム、冷蔵庫、冷凍庫、ショーケース、病室、抗菌水槽等において使用することによって空気・水中の抗菌・抗カビ効果が果たされ、清潔で快適、安全な住環境が確保される。
【符号の説明】
【００４０】
１          ケース
１ａ        正面
１ｂ        背面
１ｃ        底面
１ｄ        上面
１ｅ        左側面
１ｆ        右側面
２          開口
２ａ        係止段部
２ｂ        収納部
３          送込口
４          セラミックプレート
５          セラミックボール
６          ホース
７          ポンプ
７ａ        吐出口
７ｂ        コード
７ｃ        プラグ
８          壁
９          浴槽
１０        固定具
１１        陳列ケース
１２        鮮魚類
２０        抗菌・抗カビ空気
【図１】
0003160442.tif 000003
【図２】
0003160442.tif 000004
【図３】
0003160442.tif 000005
【図４】
0003160442.tif 000006
【図５】
0003160442.tif 000007
【図６】
0003160442.tif 000008
【図７】
0003160442.tif 000009